(57)【要約】【課題】任意の物品を任意のレイアウトで納まりよく整理して保管できる整理トレイをユーザーが簡単に作れるようにした整理トレイの提供を目的とする。【解決手段】トレイ本体１と、このトレイ本体１内に敷かれる粘土からなるマット２とを備え、このマット２の任意の位置に例えばスチック糊の容器７を任意の方向に向けて押しつけることにより物品整理用の凹部６が形成される。乾燥後、このマット２の凹部６にスチック糊の容器７を入れることにより、スチック糊の容器７を納まりよく整理して保管できるので、任意の物品を任意のレイアウトで納まりよく整理して保管できる整理トレイをユーザーが簡単に作れる。【選択図】　図１
2004042320.tif 000002
【特許請求の範囲】
【請求項１】
トレイ本体と、このトレイ本体内に敷かれる粘土からなるマットとを備え、このマットに任意の物品を押しつけて物品整理用の凹部が形成されることを特徴とする整理トレイ。
【発明の詳細な説明】
【０００１】
【発明の属する技術分野】
この発明は、文具などの物品を整理して保管するための整理トレイに関する。
【０００２】
【従来の技術】
従来、文具などの物品を整理して保管する整理トレイとしては、例えば木やプラスチックで形成した長方形或いは正方形の平底のものや、その平底の底面の一部分に突起或いは突条を形成して底面を適当に区分したものなどがある。また、トレイ本体の中にスポンジ状のマットを敷き、このマットに物品の形状に対応させた切り抜きや凹部を形成したものもある。
【０００３】
【発明が解決しようとする課題】
従来の平底の整理トレイによれば、整理トレイの中での物品の居所が決まらず、物品が整理トレイ内で移動して、ある物品の下に他の物品が隠れて探し難くなることがある。
【０００４】
底面が区分された整理トレイにおいては、整理する物品の融通性を高めるために底面を区分する突起や突条の間隔が広めに配置されているので、やはり物品がその区画の中で移動して納まりが悪い。
【０００５】
また、物品の形状に対応する切り抜きや凹部を形成したマットをトレイ本体内に敷いている従来のものは、物品を切り抜きや凹部に入れることにより物品の移動が防止され、見た目にも納まりよく物品を整理して保管できるが、この種のものは例えば文具セットとして整理トレイごと予め定められた物品を収納して販売されているものであり、その他の自由に選択された物品を収納することができない。
【０００６】
この発明は、このような従来技術の課題を解消し、自由に選択した物品を納まりよく整理して保管することができる整理トレイをユーザーが簡単に作れるようにした整理トレイを提供することを目的とするものである。
【０００７】
【課題を解決するための手段】
この目的を達成するため、この発明の整理トレイは、トレイ本体と、このトレイ本体内に敷かれる粘土からなるマットとを備え、このマットに任意の物品を押しつけて物品整理用の凹部が形成されることを特徴とするものである。
【０００８】
これによれば、ユーザーが自由に選択した好みの物品をマットに押しつけて型取りをし、乾燥させることにより、すこぶる簡単に任意の物品に対応した凹部をマットに形成することができ、その凹部に物品を入れることにより、その物品を納まりよく整理して保管することができる。
【０００９】
ところで、この発明のトレイ本体の形状は皿形に形成されていれば、特に限定されず、例えば長方形皿形、正方形皿形など一般に多用されている形状のものの他に、円皿形、楕円皿形、扇皿形、ひょうたん皿形など任意の皿形に形成することができる。もちろん、その深さは任意に設計することができる。
【００１０】
また、このトレイ本体の材質は特に限定されず、例えば、木、アルミニウム、ステンレススチール、錫引き銅などの金属、ガラスを含むセラミックス、ＦＲＰを含む合成樹脂など任意の材質を用いることができる。
【００１１】
この発明において使用される粘土としては、例えば、樹脂粘土、紙粘土、鉱物粘土、木粉粘土など乾燥前に可塑性を有し、乾燥後に硬化する公知の粘土を用いればよいが、型取りに際して手が汚れ難い樹脂粘土か、紙粘土を用いることが好ましい。樹脂粘土は、例えば粘土人形などに使われており、取扱いが簡単な上、硬化後にニスなどにより表面処理をする必要がないので、最も好ましい。
【００１２】
樹脂粘土は、メーカーによって品質が異なるが、例えば株式会社パジコ製の商品名モデナという樹脂粘土は透明感があり、黄ばみが生じ難く、乾燥後も適度なしなやかさを保ち、折れたり、割れたりし難く、しかも、かびや虫食いの心配がない上、乾燥すると耐水性が備わるので最適である。もちろん、着色剤を用いて任意の色に着色したり、乾燥後に任意の色の塗料を塗ったりすることができる。
【００１３】
この粘土からなるマットは、予めトレイ本体内に敷いて固定してあってもよく、又、使用を始める前にトレイ本体内に敷くようにしてもよい。更に、必要に応じて交換するようにしてもよい。
【００１４】
粘土からなるマットに任意の物品を押しつけて物品整理用の凹部を形成する作業はユーザーによって行われ、この際、乾燥による収縮を考慮して物品よりも少し大きめの凹部を形成することが好ましい。このように凹部を物品よりも大きく形成する方法としては、物品やへらを使って物品の周囲に凹部を広げればよい。
【００１５】
粘土に押しつけて凹部を形成する物品はユーザーが自由に選択することができ、例えば、三角定規、直線定規、物差、分度器、コンパス、字消板、テンプレートなどの製図用具、鋏、粘着テープ、糊、クリップ、輪ゴム、ホチキス、消しゴム、鉛筆、シャープペンシル、ボールペン、万年筆、サインペン、筆ペンなどの文具などがその例として挙げられ、これらの他にも巻尺や、タバコ、マッチ、ライターなど身の回りの日用品を選択することができる。
【００１６】
また、その物品をどのような方向にむけてマットに押しつけるかもユーザーが自由に選択すればよく、更に、その物品を押しつけて凹部を形成する位置もユーザーが自由に決定すればよい。
【００１７】
【発明の実施の形態】
この発明の一実施形態に係る整理トレイの一実施形態を図面に基づいて具体的に説明すれば、以下の通りである。
【００１８】
図１はこの発明の一実施形態に係る整理トレイの斜視図であり、この図１に示すように、この整理トレイは角を丸めた浅い長方形皿形のトレイ本体１と、この中に敷いた樹脂粘土（株式会社パジコ製、商品名モデナ）からなるマット２とからなる。
【００１９】
図２はこの整理トレイの縦断側面図であり、この図２に示すように、このトレイ本体１の底３は平底に形成され、必要に応じて、その周縁４の上縁から外側に取手５が延出される。なお、このトレイ本体１は合成樹脂を射出成形して作られたものである。
【００２０】
前記マット２はトレイ本体１内にその上面近くまで充填され、未乾燥状態の時にユーザーが任意の物品に対応する凹部６を形成する。
【００２１】
図３はこの凹部６を形成する要領を示す斜視図であり、この図３に示すように、ユーザーは任意の物品、例えばスティック糊７の容器を未乾燥状態のマット２の上面に押しつけるだけで簡単にスティック糊の容器７に対応する凹部６を形成することができる。
【００２２】
この際にスティック糊の容器７を少し横にずらせて凹部６の面積を大きくしておくと、乾燥後に収縮してもこのスティック糊の容器７を容易にその凹部６に入れることができる。
【００２３】
図４は所要の凹部６が形成された前記整理トレイの平面図であり、この場合には前記スティック糊の容器７に対応する凹部６のほか、ライター８、コンパス９、鋏１０、三角定規１１、分度器１２、物差１３、消しゴム１４、クリップ１５、粘着テープ１６などに対応する凹部１７〜２５が形成されている。
【００２４】
もちろん、これらの物品に対応する凹部６、１７〜２５のレイアウトもユーザーが自由に設定することができ、例えば図５に示すように、図４とは異なる位置にそれら凹部６、１７〜２４を形成したり、凹部の形状を変更、例えば粘着テープ１６の凹部の形状を変更した凹部２５を形成したり、これらの凹部６、１７〜２５の一部を省略してもよい。
【００２５】
なお、クリップ１５に対応する凹部２４は、例えば別の物、例えば指を押しつけて形成したり、へらを用いて形成したりしている。又、この凹部２４の底には、必要に応じて磁石を埋め込むことができる。
【００２６】
このようにして種々の物品に対応する凹部６、１７〜２５を形成した後、そのままある程度の時間放置しておくと、マット２が硬化し、凹部６、１７〜２５の形状はそのままの形でマット２の上面に残され、これらの凹部６、１７〜２５に対応する物品を入れると、これら物品をマット２の上で移動することがない納まりのよい状態で整理して保管することができる。
【００２７】
【発明の効果】
以上に説明したように、この発明の整理トレイは、トレイ本体と、このトレイ本体内に敷かれる粘土からなるマットとを備え、このマットに任意の物品を押しつけて物品整理用の凹部が形成されることを特徴とするので、これによれば、ユーザーが任意の物品を、任意の方向に向けて、マット上の任意の位置に押しつけることにより、その物品に対応する凹部を形成し、マットが硬化した後、この凹部に対応する物品を入れることにより、ユーザーが任意の物品を任意のレイアウトで納まりよく整理して保管できるという効果を得ることができる。
【００２８】
また、任意の物品を任意のレイアウトで納まりよく整理して保管できる整理トレイを、ユーザーが任意の物品を、任意の方向に向けて、マット上の任意の位置に押しつけた後、マットを乾燥させるという簡単な方法で得ることができるという効果が得られる。
【図面の簡単な説明】
【図１】この発明の一実施形態に係る整理トレイの斜視図である。
【図２】この発明の一実施形態に係る整理トレイの縦断側面図である。
【図３】この発明の一実施形態に係る整理トレイの斜視図である。
【図４】この発明の一実施形態に係る整理トレイの平面図である。
【図５】この発明の一実施形態に係る整理トレイの平面図である。
【符号の説明】
１　トレイ本体
２　マット
【図１】
2004042320.tif 000003
【図２】
2004042320.tif 000004
【図３】
2004042320.tif 000005
【図４】
2004042320.tif 000006
【図５】
2004042320.tif 000007